【事件の表示】
　特願２０１４−５４７１７６「ユーザに応じたディスプレイの減光」拒絶査定不服審判事件〔平成２５年　７月　４日国際公開、ＷＯ２０１３／１００９３７、平成２７年　４月　２日国内公表、特表２０１５−５１０１３９〕について、次のとおり審決する。
【結　論】
　本件審判の請求は、成り立たない。
【理　由】
第１　出願の経緯
　本願は，平成２３年１２月２８日を国際出願日とする出願であって，平成２６年６月１３日付けで国際出願翻訳文提出書により，明細書，特許請求の範囲及び図面の翻訳文（以下，「翻訳文」という。）が提出され，平成２７年４月２０日付けで拒絶理由が通知され，平成２７年７月２１日に手続補正（以下，「補正１」という。）がなされたが，平成２８年１月１３日付けで拒絶査定がなされ，これに対し，平成２８年５月１９日に拒絶査定不服審判が請求され，同時に手続補正（以下，「本件補正」という。）がなされたものである。
第２　本件補正についての補正却下の決定
［結論］
　本件補正を却下する。
［理由］
１　本件補正の内容
　本件補正は，特許請求の記載を次のとおり補正するものである。
「【請求項１】
　ユーザの体を検出する検出ステップと，
　前記ユーザの前記体を検出することに基づいて，焦点の領域を特定するステップと，
　前記焦点の領域の外側でディスプレイの部分を暗くすべく，第１の制御信号を生成するステップと，
　前記ユーザの前記焦点の領域の変化を特定するステップと，
　前記ディスプレイの第２部分を点灯すべく，第２の制御信号を生成するステップであって，前記部分は，前記第２部分を含む，ステップと，
　前記ユーザの前記焦点の領域の輪郭を前記ディスプレイ上に表示するステップと，
　前記ユーザの前記焦点の領域の前記変化を特定する前記ステップに応じて，前記輪郭を徐々に消すステップと，
　前記ユーザの前記焦点の領域の輪郭を前記ディスプレイ上に表示すべく，第３の制御信号を生成するステップと，
　前記ユーザの前記焦点の領域の前記変化を特定することに基づいて，前記輪郭を徐々に消すべく，第４の制御信号を生成するステップと
を含む方法。」
２　新規事項の追加について
（１）出願当初明細書等に記載された技術的事項
　平成２６年６月１３日付けの国際出願翻訳文提出書によって提出された，国際出願日における国際特許出願の明細書若しくは図面（図面の中の説明に限る。）の翻訳文，国際出願日における国際特許出願の請求の範囲の翻訳文又は国際出願日における国際特許出願の図面（図面の中の説明を除く。）（以下，翻訳文等という。）（以下，「出願当初明細書等」という。）には，次の事項が記載されている（下線は，当審で付与した。）。
ア「【技術分野】
　【０００１】
　本発明は，一般に，
ユーザに応じたディスプレイの減光
【背景技術】
　【０００２】
　
現在の電力管理の実施は，コンテキストアウェアではない。
イ「【００１５】
　一部の実施形態では，検出器２０８は，ユーザの視線を検出する。検出される視線に応じて，コントローラ２１２は， 例えば，ユーザの視線がある持続期間にわたってディスプレイ２０６の特定の領域に向けられたか否かを判定する。一部の実施形態では，コントローラ２１２は，ユーザの視線に対応するディスプレイ２０６の特定の領域（例えば，一部の実施形態に係る図１の領域１１２）を計算する。
一部の実施形態では，コントローラ２１２は，（例えば，電力の節約および／またはバッテリーの電力の節約のために）ユーザの視線の領域内にないディスプレイ２０６の領域を減光する，暗くする，またはそうでなければ変更する。一部の実施形態では，ディスプレイ２０６の一部のみが点灯され続ける。一部の実施形態では，コントローラ２１２およびディスプレイ２０６は，ユーザの視線の領域内にないディスプレイ２０６の領域を減光する，暗くする，またはそうでなければ変更するために視覚的目印を使用する。
　【００１６】
　
一部の実施形態では，（例えば，ユーザが自分の目をディスプレイ２０６の異なる部分に向けて動かすことによって）ユーザの視線が変化すると，システム２００は，例えば全画面表示／点灯モードに復帰する。一部の実施形態では，これが起きた場合，前のユーザの視線の領域（すなわち，ユーザの注意が前に集中していた領域）の輪郭が，コントローラ２１２およびディスプレイ２０６を使用して提示される。一部の実施形態では，この輪郭の領域は，検出器２０８およびコントローラ２１２による視線検出が，直前の主な焦点の領域の外側へのユーザの目の動きを記録したときにゆっくりと徐々に消える。
　【００１７】
　一部の実施形態では，それがディスプレイの小さい部分だけでも，ディスプレイの一部を減光すること（例えば，部分的に減光すること，全体的に減光すること，および／または暗くすること）によって電力が節約される。これは，バッテリーの電力を使用する携帯機器において特に有用である。
ディスプレイの一部を減光することによって，ユーザの目は，周辺の視覚的ノイズによって気を散らされる場合よりも手元の作業に集中することがより容易になる。さらに，一部の実施形態によれば，電力管理は，ディスプレイスクリーンの一部または全部の領域にわたる視線検出によって，スクリーンを全体的に減光するのではなく，わずかだけ減光することができるので，コンテキストアウェアである。
ウ　以上より，出願当初明細書等には，次の事項ａが記載されていたものと認められる。
（出願当初明細書等の記載事項ａ）
  「ユーザに応じたディスプレイの減光により，電力管理の実施を，コンテキストアウェアなものとするため（【０００１】，【０００２】及び【００１７】），ユーザの視線の領域内にないディスプレイ２０６の領域を減光する，暗くする，またはそうでなければ，変更し，ディスプレイ２０６の一部のみが点灯され続け（【００１５】），
（例えば，ユーザが自分の目をディスプレイ２０６の異なる部分に向けて動かすことによって）ユーザの視線が変化すると，システム２００は，例えば全画面表示／点灯モードに復帰し，これが起きた場合，前のユーザの視線の領域（すなわち，ユーザの注意が前に集中していた領域）の輪郭が，コントローラ２１２およびディスプレイ２０６を使用して提示され，この輪郭の領域は，検出器２０８およびコントローラ２１２による視線検出が，直前の主な焦点の領域の外側へのユーザの目の動きを記録したときにゆっくりと徐々に消える。」
エ　また，出願当初明細書等の特許請求の範囲には，次の技術的事項が記載されている（下線は，当審で付与した。）。
「【請求項１】
　
ユーザの体を検出する検出ステップと，
　前記検出ステップに応じて前記ユーザの焦点の領域を特定するステップと，
　前記焦点の領域内にないディスプレイの部分を減光する減光ステップと
を含む方法。
【請求項２】
　前記検出ステップが，前記ユーザの前記体の頭，顔，片目，両目，片耳，両耳，口，鼻，一方の肩，または両肩のうちの少なくとも１つを検出する，請求項１に記載の方法。
【請求項３】
　前記検出ステップが，前記ユーザの位置，向き，または動きのうちの少なくとも１つを検出する，請求項１又は２に記載の方法。
【請求項４】
　前記検出ステップが，前記ユーザの像を検出する，請求項１から３のいずれか一項に記載の方法。
【請求項５】
　前記ユーザの前記焦点の領域を特定する前記ステップが，前記ユーザの視線に対応する，請求項１から４のいずれか一項に記載の方法。
【請求項６】
　前記減光ステップが，前記焦点の領域内にない前記ディスプレイの前記部分を部分的に減光するステップである，請求項１から５のいずれか一項に記載の方法。
【請求項７】
　前記減光ステップが，前記焦点の領域内にない前記ディスプレイの前記部分を全体的に減光するステップである，請求項１から５のいずれか一項に記載の方法。
【請求項８】
　前記ユーザの片目または両目を追跡することによって前記ユーザの前記体を検出するステップをさらに含む，請求項１から７のいずれか一項に記載の方法。
【請求項９】
　
前記ユーザの前記焦点の領域の変化を特定するステップと，
　前記ユーザの前記焦点の領域の前記変化を特定する前記ステップに応じて，前記ディスプレイの減光された部分の減光を解除するステップとをさらに含む，請求項１から８のいずれか一項に記載の方法。
【請求項１０】
　
前記ユーザの前記焦点の領域の輪郭を前記ディスプレイ上に表示するステップと，
　前記ユーザの前記焦点の領域の前記変化を特定する前記ステップに応じて，前記輪郭を徐々に消すステップとをさらに含む，請求項９に記載の方法。
オ　すると，出願当初明細書等には，請求項１を引用する請求項６（又は請求項７）をさらに引用する請求項９として，次の事項ｂが記載されていたものと認められる。
（出願当初明細書等の記載事項ｂ）
  「【請求項１】
　ユーザの体を検出する検出ステップと，
　前記検出ステップに応じて前記ユーザの焦点の領域を特定するステップと，
　前記焦点の領域内にないディスプレイの部分を減光する減光ステップと
を含み，
　前記減光ステップが，前記焦点の領域内にない前記ディスプレイの前記部分を部分的に減光するステップである（請求項６）か，または，前記焦点の領域内にない前記ディスプレイの前記部分を全体的に減光するステップであり（請求項７），
　前記ユーザの前記焦点の領域の変化を特定するステップと，
　前記ユーザの前記焦点の領域の前記変化を特定する前記ステップに応じて，前記ディスプレイの減光された部分の減光を解除するステップとをさらに含み，
　前記ユーザの前記焦点の領域の輪郭を前記ディスプレイ上に表示するステップと，
　前記ユーザの前記焦点の領域の前記変化を特定する前記ステップに応じて，前記輪郭を徐々に消すステップとをさらに含む，
　方法。」
（２）判断
　本件補正により補正された特許請求の範囲の請求項１の記載について，便宜のため，各ステップにステップ番号を次のとおり付与する。
「【請求項１】
　ユーザの体を検出する検出ステップ（ステップ１）と，
　前記ユーザの前記体を検出することに基づいて，焦点の領域を特定するステップ（ステップ２）と，
　前記焦点の領域の外側でディスプレイの部分を暗くすべく，第１の制御信号を生成するステップ（ステップ３）と，
　前記ユーザの前記焦点の領域の変化を特定するステップ（ステップ４）と，
　前記ディスプレイの第２部分を点灯すべく，第２の制御信号を生成するステップであって，前記部分は，前記第２部分を含む，ステップ（ステップ５）と，
　前記ユーザの前記焦点の領域の輪郭を前記ディスプレイ上に表示するステップ（ステップ６）と，
　前記ユーザの前記焦点の領域の前記変化を特定する前記ステップに応じて，前記輪郭を徐々に消すステップ（ステップ７）と，
　前記ユーザの前記焦点の領域の輪郭を前記ディスプレイ上に表示すべく，第３の制御信号を生成するステップ（ステップ８）と，
　前記ユーザの前記焦点の領域の前記変化を特定することに基づいて，前記輪郭を徐々に消すべく，第４の制御信号を生成するステップ（ステップ９）と
を含む方法。」
ア　（ステップ５）を含むようにする補正について
　（ステップ５）は，次のとおりのものである。
「前記ディスプレイの第２部分を点灯すべく，第２の制御信号を生成するステップであって，前記部分は，前記第２部分を含む，ステップ」
　（ステップ５）における「前記部分」とは，本件補正により補正された特許請求の範囲の請求項１の「前記焦点の領域の外側でディスプレイの部分を暗くすべく，第１の制御信号を生成するステップ（ステップ３）」における，「ディスプレイの部分」のことであるから，（ステップ５）は，言い替えると，ユーザの焦点の領域の外側で暗くされたディスプレイの部分において，その少なくとも一部（一部又は全部）を点灯すべく，第２の制御信号を生成するステップを意味している。
　しかし，出願当初明細書等には，上記「（出願当初明細書等の記載事項ａ）」のとおり，「ユーザの視線が変化すると，システム２００は，例えば全画面表示／点灯モードに復帰」すること（つまり，ディスプレイの全画面を点灯すること）が記載されているに過ぎず，例えば「前のユーザの視線の領域」（すなわち，ユーザの注意が前に集中していた領域）を暗くし，新たな「ユーザの視線の領域」（直前の主な焦点の領域の外側へのユーザの目の動きを記録したときの，新たなユーザの視線の領域）のみを点灯させるようなこと（つまり，暗くされたディスプレイの一部のみを点灯すること）は，何ら記載されていない。
　また，前記「（出願当初明細書等の記載事項ｂ）」は，「（出願当初明細書等の記載事項ａ）」に記載された技術的事項を抽象化して記載したものであるから，「（出願当初明細書等の記載事項ａ）」以外の具体的な技術的事項を開示するものではない。
　よって，本件補正により，特許請求の範囲の請求項１を，上記（ステップ５）を含むように補正することは，出願当初明細書等のすべての記載を総合することにより導かれる技術的事項との関係において，新たな技術的事項を導入するものである。
イ　（ステップ６）及び（ステップ８）を共に含むようにする補正について
　（ステップ６）は，次のとおりのものである。
「前記ユーザの前記焦点の領域の輪郭を前記ディスプレイ上に表示するステップ」
　また，（ステップ８）は，次のとおりのものである。
「前記ユーザの前記焦点の領域の輪郭を前記ディスプレイ上に表示すべく，第３の制御信号を生成するステップ」
　ここで，本件補正後の特許請求の範囲の請求項１に係る発明は，方法の発明であるから，請求項１に記載された各「ステップ」が，（ステップ１）から（ステップ９）の順に，経時的に実行されるステップであると解釈すると，（ステップ８）は（ステップ６）の後に記載されているから，両ステップにおける「焦点の領域」が同じ領域であるとすると，同じ輪郭を２回表示することになって，不合理である。
　よって，（ステップ８）における「前記焦点の領域」とは，（ステップ４）において「前記ユーザの前記焦点の領域の変化を特定する」ことで得られる，「変化」後の「ユーザの焦点の領域」と理解すべきことになる（なお，請求項１に記載された「ステップ」が経時的に記載されたものではないとすれば，（ステップ６）おける「前記焦点の領域」についても，（ステップ４）において「前記ユーザの前記焦点の領域の変化を特定する」ことで得られる，「変化」後の「ユーザの焦点の領域」と解釈する余地がある。）
　しかし，「（出願当初明細書等の記載事項ａ）」には，「前のユーザの視線の領域（すなわち，ユーザの注意が前に集中していた領域）の輪郭が，コントローラ２１２およびディスプレイ２０６を使用して提示され」ることが記載されているに過ぎず，「前記ユーザの前記焦点の領域の変化を特定する」ことで得られる，「変化」後の「ユーザの焦点の領域」に輪郭を表示すべく，第３の制御信号を生成することは何ら記載されていない。
　また，「（出願当初明細書等の記載事項ｂ）」には，（ステップ６）に相当する記載が認められるだけであって，（ステップ６）の後に（ステップ８）を実行することは何ら記載されていない。
　よって，本件補正により，特許請求の範囲の請求項１を，上記（ステップ６）及び（ステップ８）を共に含むように補正することは，出願当初明細書等のすべての記載を総合することにより導かれる技術的事項との関係において，新たな技術的事項を導入するものである。
ウ　（ステップ７）〜（ステップ９）を共に含むようにする補正について
　（ステップ７）は，次のとおりのものである。
「前記ユーザの前記焦点の領域の前記変化を特定する前記ステップに応じて，前記輪郭を徐々に消すステップ」
　また，（ステップ８）は，次のとおりのものである。
「前記ユーザの前記焦点の領域の輪郭を前記ディスプレイ上に表示すべく，第３の制御信号を生成するステップ」
　さらに，（ステップ９）は，次のとおりのものである。
「前記ユーザの前記焦点の領域の前記変化を特定することに基づいて，前記輪郭を徐々に消すべく，第４の制御信号を生成するステップ」
　ここで，本件補正後の特許請求の範囲の請求項１に係る発明は，方法の発明であるから，請求項１に記載された各「ステップ」が，（ステップ１）から（ステップ９）の順に，経時的に実行されるステップであると解釈すると，（ステップ９）は（ステップ７）の後に記載されているから，両ステップにおける「輪郭」が同じ輪郭であるとすると，同じ輪郭を２回，徐々に消すことになって，不合理である。
　よって，（ステップ９）における「前記輪郭」とは，（ステップ４）において「前記ユーザの前記焦点の領域の変化を特定する」ことで得られる，「変化」後の「ユーザの焦点の領域」に表示された輪郭と理解すべきことになる（なお，請求項１に記載された「ステップ」が経時的に記載されたものではないとすれば，（ステップ７）おける「前記焦点の領域」の輪郭についても，（ステップ４）において「前記ユーザの前記焦点の領域の変化を特定する」ことで得られる，「変化」後の「ユーザの焦点の領域」の輪郭と解釈する余地がある。）
　さらに，（ステップ９）は，上記「（ステップ８）」の後に実行されるステップであるから，この点からも，上記「イ」で述べたのと同様に，（ステップ９）における「前記輪郭」とは，（ステップ４）において「前記ユーザの前記焦点の領域の変化を特定する」ことで得られる，「変化」後の「ユーザの焦点の領域」の輪郭と理解すべきことになる。
　しかし，「（出願当初明細書等の記載事項ａ）」には，「（例えば，ユーザが自分の目をディスプレイ２０６の異なる部分に向けて動かすことによって）ユーザの視線が変化すると，システム２００は，例えば全画面表示／点灯モードに復帰し，これが起きた場合，前のユーザの視線の領域（すなわち，ユーザの注意が前に集中していた領域）の輪郭が，コントローラ２１２およびディスプレイ２０６を使用して提示され，この輪郭の領域は，検出器２０８およびコントローラ２１２による視線検出が，直前の主な焦点の領域の外側へのユーザの目の動きを記録したときにゆっくりと徐々に消える。」と記載されているに過ぎず，（ステップ４）において「前記ユーザの前記焦点の領域の変化を特定する」ことで得られる，「変化」後の「ユーザの焦点の領域」に表示された「輪郭」を「徐々に消すべく，第４の制御信号を生成する」ことは何ら記載されていない。
　また，「（出願当初明細書等の記載事項ｂ）」には，（ステップ７）に相当する記載が認められるだけであって，（ステップ７）の後に（ステップ８），（ステップ９）を順に実行することは何ら記載されていない。
　よって，本件補正により，特許請求の範囲の請求項１を，上記（ステップ７）〜（ステップ９）を共に含むように補正することは，出願当初明細書等のすべての記載を総合することにより導かれる技術的事項との関係において，新たな技術的事項を導入するものである。
３　まとめ
　以上のとおり，平成２８年５月１９日付けの本件補正は，出願当初明細書等のすべての記載を総合することにより導かれる技術的事項との関係において，新たな技術的事項を導入するものであるから，特許法第１７条の２第３項の規定（同法第１８４条の１２第２項参照）に適合しない。
　よって，本件補正は，同法第１５９条第１項の規定において読み替えて準用する同法第５３条第１項の規定により却下すべきものである。
第３　本願発明及び本願発明の進歩性について
１　本願発明
　上記「第２」のとおり，本件補正は却下されたので，本願の特許請求の範囲の請求項１乃至１６に係る発明は，平成２７年７月２１日の補正１により補正された特許請求の範囲の請求項１乃至１６に記載された事項により特定されるとおりのものであるところ，請求項１に係る発明（以下，「本願発明１」という。）は，次のとおりのものである。
「【請求項１】
　ユーザの体を検出する検出ステップと，
　前記ユーザの前記体を検出することに基づいて，焦点の領域を特定するステップと，
　前記焦点の領域の外側でディスプレイの部分を暗くすべく，第１の制御信号を生成するステップと
を含む方法。」
２　引用例・引用発明
　原査定の拒絶の理由で引用された，本願の出願日前に頒布された刊行物である，特開２００９−２３７２１０号公報（以下，「引用例１」という。）には，次の事項が記載されている（下線は，当審で付与した。）。
「【特許請求の範囲】
【請求項１】
  コンテンツの画像を表示する液晶表示パネルと，該液晶表示パネルの背面側に配列されて前記液晶表示パネルの表示領域の一部ずつを照明する複数の光源と，を備えた液晶表示装置であって，
  前記液晶表示パネルにより画像が並列表示される複数のコンテンツの中から一部の注目コンテンツを選択する注目コンテンツ選択手段と，
  前記注目コンテンツの画像の表示領域に対応する前記光源の輝度よりもそれ以外の前記光源の輝度を低下させる領域別光源輝度制御手段と，
  を具備してなることを特徴とする液晶表示装置。
【請求項２】
  前記液晶表示パネルの前方に存在する人の位置又は顔の向きを検出する観者検出手段を具備し，
  前記注目コンテンツ選択手段が，前記液晶表示パネルにより画像が並列表示される複数のコンテンツのうち，画像の表示領域が前記観者検出手段の検出結果に対して予め定められた位置関係を満たすコンテンツを前記注目コンテンツとして選択する観者位置対応コンテンツ選択手段を含んでなる請求項１に記載の液晶表示装置。」
「【請求項９】
  前記領域別光源輝度制御手段が，前記注目コンテンツ選択手段による前記注目コンテンツとしての選択が解除されたコンテンツの画像の表示領域に対応する前記光源の輝度を徐々に低下させてなる請求項１〜８のいずれかに記載の液晶表示装置。」
「【技術分野】
【０００１】
  本発明は，複数のコンテンツの画像を表示する機能及び複数のバックライト光源を備えた液晶表示装置に関し，特に，バックライト光源の省電力化に好適な液晶表示装置に関するものである。」
「【０００３】・・・従って，本発明は上記事情に鑑みてなされたものであり，その目的とするところは，複数のコンテンツの画像が液晶表示パネルに並列表示されたマルチ画像表示状態であるときに，ユーザが注目するコンテンツの画像について高い画質を確保できるとともに，ユーザの注目度が低く高画質での表示が要求されないコンテンツの画像の表示領域において，バックライト用の光源が無駄に電力を消費することを防止できる液晶表示装置を提供することにある。」
「【００１０】
  また，前記注目コンテンツ選択手段が，予め定められた優先順位規則に従って，前記液晶表示パネルにより画像が並列表示さるコンテンツの数に占める前記注目コンテンツの数を制限することが考えられる。
  これにより，複数の基準に従って前記注目コンテンツの選択が行われた結果，前記注目コンテンツの数が多くなり過ぎて省電力効果が小さくなることを防止できる。
  また，前記領域別光源輝度制御手段が，前記注目コンテンツ選択手段による前記注目コンテンツとしての選択が解除されたコンテンツの画像の表示領域に対応する前記光源の輝度を徐々に低下させることが考えられる。
  これにより，ユーザに視覚上の違和感を感じさせずに前記光源の点灯状態がスムーズに低輝度状態へ移行される。」
「【００１３】
  まず，図１に示すブロック図を参照しつつ，本発明の実施形態に係る液晶表示装置の一例であるテレビジョン受像機Ｘの構成について説明する。
  図１に示すように，テレビジョン受像機Ｘは，複数のチューナ１，外部信号入力部２，復調・分離回路３，映像復号回路１１，映像選択回路１２，映像処理回路１３，液晶ドライバ１４，液晶表示パネル１５，調光回路１６，バックライト１７，音声復号回路２１，音声選択回路２２，音声処理回路２３，アンプ２４，スピーカ２５，制御回路４，計時回路５，リモコン受光部６，リモコン７，カメラ３１及び顔検出回路３２等を備えている。
  前記液晶表示パネル１５には，１つ又は複数のコンテンツの画像が表示される。そして，前記テレビジョン受像機Ｘの特徴は，前記液晶表示パネル１５により画像が並列表示されたマルチ画像表示状態であるときに，ユーザ（観者）の注目対象であると考えられる一部のコンテンツ（以下，注目コンテンツという）を選択し，その注目コンテンツの画像の表示領域以外の領域において，前記バックライト１７を構成するＬＥＤ光源１７ａの輝度を低く調節する領域別光源輝度制御を実行する点である。前記領域別光源輝度制御は，前記制御回路４により実行される。
  なお，前記マルチ画像表示状態とは，複数のコンテンツの画像が前記液晶表示パネル１５に並列表示された状態のことである。」
「【００１９】
  前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
  前記カメラ３１は，前記液晶表示パネル１５の前方を撮像するものであり，当該テレビジョン受像機Ｘの前面側に配置されている。このカメラ３１は，前記液晶表示パネル１５に表示されたコンテンツの画像を見るユーザ（観者）の顔を撮像するために設けられたものである。
  前記
顔検出回路３２は，前記カメラ３１により得られた画像データに基づいて，前記液晶表示パネル１５の前方に存在する人（観者）の顔の位置及びその顔の向きを検出する画像処理を実行する回路である
  前記計時回路５は，クロック発振器を備え，現在日時の計時及び前記制御回路４からの計時開始指令に応じてその時点からの経過時間の計時を行う回路である。計時結果は，前記映像処理回路１３及び前記制御回路４へ伝送される。
【００２０】
  
前記制御回路４は，演算手段であるＭＰＵ４ａ，記憶手段であるＲＯＭ４ｂ（ＥＰＲＯＭ）及びＥＥＰＲＯＭ４ｃを備え，
  前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
  なお，以降の説明において，前記制御回路４が実行する処理は，前記ＭＰＵ４ａが前記ＲＯＭ４ｂに記憶された制御プログラムを実行することによって実現される。
  例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。」
「【００２５】
  次に，図３に示されるフローチャートを参照しつつ，前記
制御回路４による
処理手順
処理手順は，前記液晶表示パネル１５に複数のコンテンツの画像が並列表示された前記マルチ画像表示状態において実行される。
  また，以下の説明において，前記チューナ１を通じて得られる放送番組のコンテンツ，及び前記外部信号入力部を通じて得られる前記外部入力コンテンツを精細画コンテンツと称し，それ以外のコンテンツ（前記カレンダーのコンテンツ等）のことを非精細画コンテンツと称する。なお，前記精細画コンテンツは，その画像が注目される場合，その画像を高画質で表示させたいコンテンツのことである。一方，前記非精細画コンテンツは，その画像が必ずしも高画質で表示されなくとも視認可能な程度に表示されれば十分なコンテンツである。
【００２６】
  まず，前記制御回路４は，前記映像表示パネル１５に画像が表示されている複数の前記精細画コンテンツそれぞれについて，その画像の表示領域に対応する注目範囲を設定し，設定結果を前記ＥＥＰＲＯＭ４ｃに記憶させる（Ｓ１）。
  前記注目範囲は，前記液晶表示パネル１５の映像表示面内，又はその映像表示面を含む平面内における前記精細画コンテンツの画像の表示領域に対応する範囲である。例えば，
前記制御回路４は，表示中の前記精細画コンテンツの画像表示領域又はその領域の輪郭を外側へ所定幅だけ拡張した範囲を，その精細画コンテンツの前記注目範囲として設定する。
  図４は，前記
液晶表示パネル１５に表示された複数の前記精細画コンテンツｇ１，ｇ２の画像とそれに対応する前記注目範囲ｑ１，ｑ２の一例を表す
  当該テレビジョン受像機Ｘにおいては，
前記顔検出回路３２によって検出された顔の向きが，前記注目範囲内ｑ１，ｑ２に向かっている場合に，ユーザが当該注目範囲ｑ１，ｑ２に対応する前記精細画コンテンツｇ１，ｇ２の画像に注目していると見なされる。
【００２７】
  次に，前記制御回路４は，前記顔検出回路３２から，前記液晶表示パネル１５の前方に存在する人の顔の向きの検出結果を取得する（Ｓ２）。
  本実施形態では，前記顔検出回路３２により，人の顔の左右方向及び上下方向の位置，及び人の顔の左右方向及び上下方向の向き（例えば，前記液晶表示パネル１５の前面に垂直な方向を基準とする角度）が検出される。
  さらに，前記制御回路４は，前記顔検出回路３２から取得した人の顔の向きが，ステップＳ１で設定した前記注目範囲内に向かう向きであるか否かの判別処理（以下，注目方向判別処理という）を実行する（Ｓ３）。
【００２８】
  以下，図４及び図５を参照しつつ，前記制御回路４による前記注目方向判別処理について説明する。
  図５は，前記液晶表示パネル１５に対する人の顔Ｐ０の向きを矢印Ｒで表した図（テレビジョン受像機Ｘを上から見た状態の図）である。
  なお，図５〜図８において，前記精細画コンテンツがｇ１及びｇ２，時計のコンテンツがｇ３，カレンダーのコンテンツがｇ４と表記されている。
  前記マルチ画像表示状態において，前記液晶表示パネル１５の前記精細画コンテンツｇ１，ｇ２の画像の表示領域の位置及び寸法，及び前記液晶表示パネル１５と前記カメラ３１との位置関係が既知であるので，前記カメラ３１に対する各コンテンツｇ１，ｇ２の画像の位置は既知である。また，前記カメラ３１の画角（左右方向及び上下方向それぞれの画角）も既知である。
  従って，図５に示されるように，前記制御回路４は，人の顔Ｐ０の左右方向（画像データにおけるＸ軸方向）の位置Ｘp及び前記液晶表示パネル１５からの距離Ｌpと，人の顔Ｐ０の左右方向の向きθpとに基づく三角関数計算により，人の顔Ｐ０が，左右方向において前記注目範囲ｑ１，ｑ２のいずれの範囲内を向いているのか，或いはそれらの範囲外を向いているのかを判別する。
  図５に示す例は，人の顔Ｐ０が，マルチ画像表示状態である前記液晶表示パネル１５に向かって左側の前記注目範囲ｑ１（図４における精細画コンテンツｇ１，ｇ２の画像に対応する範囲）内を向いている状態を表している。
  また，前記制御回路４は，以上に示した左右方向の場合と同様に，人の顔Ｐ０の上下方向（画像データにおけるＹ軸方向）においても，人の顔Ｐ０が，前記注目範囲ｑ１，ｑ２のいずれかの範囲内を向いているのか，或いはそれらの範囲外を向いているのかを判別する。
  なお，前記距離Ｌpは，例えば，前記液晶表示パネル１５のサイズに応じて予め標準的な値が設定される。或いは，前記顔検出回路３２が，人の顔の大きさ（面積，直径等）を検出し，その大きさを予め定められた換算式で距離に換算することにより，前記距離Ｌpを自動的に算出すること等も考えられる。
  また，人の顔Ｐ０が，前記注目範囲ｑ１，ｑ２のいずれかの範囲内を注目しているのか，或いはそれらの範囲外を注目しているのかを，人の顔Ｐ０の位置のみに基づいて判別することも考えられる。この場合，人の顔Ｐ０が，前記液晶表示パネル１５の前面に対して垂直な方向を向いていると仮定して上記判別を行うことが考えられる。
【００２９】
  さらに，前記
制御回路４は，前記人の顔の向きＲが，前記注目範囲ｑ１，ｑ２のいずれかの範囲内に向かう向きである場合には，その注目範囲に対応する前記精細画コンテンツに対応付けられた注目時間の数値をカウントアップ（加算）する
これにより，前記人の顔の向きＲが前記注目範囲内に向かう状態の継続時間が，前記注目時間として記録される。
  
同時に，前記制御回路４は，前記人の顔の向きＲが，前記注目範囲ｑ１，ｑ２のいずれかの範囲内に向かう向きである場合には，その注目範囲に対応する前記精細画コンテンツに対応付けられた非注目時間の数値を０にリセット（クリア）する
  なお，前記注目時間及び前記非注目時間は，前記液晶表示パネル１５に画像が表示されている前記精細画コンテンツそれぞれに対応付けられて記憶される情報である。
  
そして，前記制御回路４は，前記注目時間が予め設定された時間（以下，設定時間ｔ１という）以上である前記精細画コンテンツが存在する場合，その精細画コンテンツを前記注目コンテンツとして選択する
【００３０】
  
また，前記制御回路４は，ステップＳ１で設定した前記注目範囲ｑ１，ｑ２のうち，前記顔検出回路３２から取得した全ての人の顔の向きＲから外れた位置にあるものが存在する場合，その注目範囲に対応する前記精細画コンテンツに対応付けられた前記非注目時間の数値をカウントアップ（加算）する
これにより，前記人の顔の向きＲが前記注目範囲内に向かっていない状態の継続時間が，前記非注目時間として記録される。
  同時に，前記制御回路４は，全ての前記人の顔の向Ｒきから外れた位置にある前記注目範囲について，その注目範囲に対応する前記精細画コンテンツに対応付けられた前記注目時間の数値を０にリセット（クリア）する
  
そして，前記制御回路４は，前記非注目時間が予め設定された時間（以下，設定時間ｔ２という）以上である前記精細画コンテンツが存在する場合，その精細画コンテンツについて前記注目コンテンツとしての選択を解除する
【００３１】
  次に，前記制御回路４は，前記動作指示対象コンテンツ選択処理によって新たに選択された又は既に選択されている１つの前記動作指示対象コンテンツを前記注目コンテンツとして選択する（Ｓ７：操作連動コンテンツ選択手段の一例）。
  一方，前記制御回路４は，前記動作指示対象コンテンツ選択処理により新たなコンテンツが前記動作指示対象コンテンツとして選択されることにより，動作指示対象から外れたコンテンツ（前回まで前記動作指示対象コンテンツであったもの）について，前記注目コンテンツとしての選択を解除する（Ｓ８）。なお，ステップＳ８の処理開始時に前記動作指示対象コンテンツ及び前記注目コンテンツとして選択されていないコンテンツは，このステップＳ８の処理の対象外であることはいうまでもない。
  なお，前記動作指示対象コンテンツ選択処理は，前記リモコン７に対するカーソル移動キーの操作に応じて，図３に示される処理と並行して随時行われる。
【００３２】
  次に，前記制御回路４は，前記液晶表示パネル１５により画像が並列表示される複数のコンテンツの中に，前記予約コンテンツ表示制御によって画像の表示が新たに開始されたコンテンツが存在するか否かを判別する（Ｓ９）。
  さらに，前記制御回路４は，前記予約コンテンツ表示制御によって画像の表示が新たに開始されたコンテンツが存在する場合，そのコンテンツを前記注目コンテンツとして選択する（Ｓ１０：予約コンテンツ選択手段の一例）。
【００３３】
  そして，前記制御回路４は，前記調光回路１６を制御することにより，前記
注目コンテンツとして選択されたコンテンツの画像の表示領域を照明する前記ＬＥＤ光源１７ａの輝度を，鮮明な画像表示に好適な標準輝度に調節する
輝度調節は，前記ＬＥＤ光源１７ａの輝度が極力速やかに前記標準輝度となるよう行われる。
  
さらに，
前記注目コンテンツとして選択されているコンテンツの画像の表示領域以外の領域を照明する残りの前記ＬＥＤ光源１７ａの輝度を，前記標準輝度よりも低い輝度に調節する
輝度調節は，前記注目コンテンツとしての選択が解除されたコンテンツ（前回まで前記注目コンテンツとして選択されていたコンテンツ）の画像の表示領域を照明する前記ＬＥＤ光源１７ａについては，その輝度を徐々に低下させる。
  なお，ステップＳ１１及びＳ１２の処理を実行する前記制御回路４が，前記注目コンテンツの画像の表示領域に対応する光源の輝度よりもそれ以外の光源の輝度を低下させる領域別光源輝度制御手段の一例である。
  以後，前記制御回路４は，以上に示したステップＳ１〜Ｓ１２の処理を繰り返す。
【００３４】
  以上に示したように，前記
制御回路４は，前記液晶表示パネル１５により画像が並列表示されている複数の前記精細画コンテンツのうち，画像の表示領域が前記顔検出回路３２の検出結果に対して予め定められた位置関係（顔の向きが前記注目範囲内を向いているという関係）を満たす前記精細画コンテンツを前記注目コンテンツとして選択する
  図６は，前記マルチ画像表示状態において，人の顔Ｐ０の向きに基づいて１つの前記精細画コンテンツｇ１が前記注目コンテンツｇｘとして選択されたときの前記液晶表示パネル１５の表示状態を表す模式図である。
  これにより，ユーザにより現に注目されているコンテンツの画像表示領域は，前記ＬＥＤ光源１７ａの輝度が高い輝度（前記標準輝度）に調節されて高画質の画像が表示される。一方，ユーザにより現に注目されていないコンテンツの画像表示領域においては，前記ＬＥＤ光源１７ａの輝度が低い輝度に調節されて省電力化が図られる。
  また，前記制御回路４は，人の顔の向きが前記注目範囲内を向いているという関係が前記設定時間ｔ１（例えば，数秒〜十数秒）以上継続する場合に，その注目範囲に対応する前記精細画コンテンツを前記注目コンテンツとして選択する。これにより，前記ＬＥＤ光源１７ａの輝度変更が必要以上に頻繁に行われて画面が見辛くなることを防止できる。」
　よって，引用例１には，段落【００１９】，【００２５】，【００３３】及び【００３４】より，次の発明（以下，「引用発明１」という。）が記載されているものと認められる。
「液晶表示パネル１５に複数のコンテンツの画像が並列表示されたマルチ画像表示状態において実行される，制御回路４による処理手順（【００２５】）であって，
　顔検出回路は，カメラ３１により得られた画像データに基づいて，液晶表示パネル１５の前方に存在する人（観者）の顔の位置及びその顔の向きを検出する画像処理を実行する回路であり（【００１９】），
　制御回路４は，前記液晶表示パネル１５により画像が並列表示されている複数の精細画コンテンツのうち，画像の表示領域が顔検出回路３２の検出結果に対して予め定められた位置関係（顔の向きが注目範囲内を向いているという関係）を満たす前記精細画コンテンツを注目コンテンツとして選択し， 
　注目コンテンツとして選択されたコンテンツの画像の表示領域を照明するＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ，さらに，前記注目コンテンツとして選択されているコンテンツの画像の表示領域以外の領域を照明する残りの前記ＬＥＤ光源１７ａの輝度を，前記標準輝度よりも低い輝度に調節する（【００３３】及び【００３４】），
　制御回路４による処理手順。」
３　対比
　本願発明１と引用発明１とを対比する。
　引用発明１における「液晶表示パネル１５」が，本願発明１における「ディスプレイ」に相当する。
　次に，引用発明１における「顔検出回路」が「カメラ３１により得られた画像データに基づいて，液晶表示パネル１５の前方に存在する人（観者）の顔の位置及びその顔の向きを検出する画像処理を実行する」手順が，本願発明１における「ユーザの体を検出する検出ステップ」に相当する。
　次に，引用発明１における「制御回路４」が，「顔検出回路３２の検出結果に対して予め定められた位置関係（顔の向きが注目範囲内を向いているという関係）を満たす」，「画像の表示領域」の「精細画コンテンツ」を「選択」する手順が，本願発明１における「前記ユーザの前記体を検出することに基づいて，焦点の領域を特定するステップ」に相当する。
　次に，引用発明１の「液晶表示パネル１５」において，「制御回路４」が，「前記注目コンテンツとして選択されているコンテンツの画像の表示領域以外の領域を照明する残りの前記ＬＥＤ光源１７ａの輝度を，前記標準輝度よりも低い輝度に調節」する手順と，本願発明１における「前記焦点の領域の外側でディスプレイの部分を暗くすべく，第１の制御信号を生成するステップ」とは，「前記焦点の領域の外側でディスプレイの部分を暗くすべく制御するステップ」の点で共通する。
　よって，本願発明１と引用発明１との一致点，相違点は次のとおりである。
（一致点）
「ユーザの体を検出する検出ステップと，
　前記ユーザの前記体を検出することに基づいて，焦点の領域を特定するステップと，
　前記焦点の領域の外側でディスプレイの部分を暗くすべく制御するステップと
を含む方法。」
（相違点）
　本願発明１では，前記焦点の領域の外側でディスプレイの部分を暗くすべく，「第１の制御信号を生成する」しているのに対し，引用発明１では，制御回路４が，前記注目コンテンツとして選択されているコンテンツの画像の表示領域以外の領域を照明する残りの前記ＬＥＤ光源１７ａの輝度を，前記標準輝度よりも低い輝度に調節」しているものの，制御回路４が該調整のための制御信号を生成することは明記されていない点。
４　判断
　上記相違点について検討すると，引用例１には，段落【００２０】に，制御回路４を「演算手段であるＭＰＵ４ａ，記憶手段であるＲＯＭ４ｂ（ＥＰＲＯＭ）及びＥＥＰＲＯＭ４ｃを備え」て構成することが記載されている。
　そして，ＭＰＵが，制御プログラムを実行することによって制御を行うに際し，ＭＰＵが制御のための信号を生成することは，周知の事項である。
　よって，引用発明１において，「制御回路４」が，注目コンテンツとして選択されているコンテンツの画像の表示領域以外の領域を照明する残りのＬＥＤ光源１７ａの輝度を，前記標準輝度よりも低い輝度に調節するため，制御信号を生成するようにし，上記相違点に係る本願発明１の構成とすることは，当業者が容易になし得たことである。
　また，本願発明１の奏する作用効果は，引用発明１及び周知の事項の奏する作用効果から当業者が予測し得る範囲のものにすぎず，格別顕著なものではない。
　よって，本願発明１は，引用発明１及び周知の事項に基づいて，当業者が容易に発明をすることができたものである。
５　小括
　以上のとおり，本願発明１は，特許法第２９条第２項の規定により，特許を受けることができないものである。
第４　本件補正発明の進歩性について
　仮に，本件補正が，出願当初明細書等に記載された事項の範囲内でなされた補正であって，いわゆる新規事項の追加に当たらない場合について，以下，検討する。
１　本件補正の目的
　本件補正は，補正１により補正された特許請求の範囲の，請求項１を引用する請求項７をさらに引用する請求項８を新たな請求項１とし，補正１により補正された特許請求の範囲の，請求項９を引用する請求項１５をさらに引用する請求項１６を新たな請求項７とするものであるから，特許法第１７条の２第５項第１号に掲げる事項（請求項の削除）を目的とするものである。
２　本件補正発明
　すると，本願の請求項１乃至１２に係る発明は，本件補正により補正された特許請求の範囲の請求項１乃至１２に記載された事項により特定されるとおりのものであるところ，請求項１に係る発明は，次のとおりのものである（以下，「本件補正発明」という。）。
「【請求項１】
　ユーザの体を検出する検出ステップと，
　前記ユーザの前記体を検出することに基づいて，焦点の領域を特定するステップと，
　前記焦点の領域の外側でディスプレイの部分を暗くすべく，第１の制御信号を生成するステップと，
　前記ユーザの前記焦点の領域の変化を特定するステップと，
　前記ディスプレイの第２部分を点灯すべく，第２の制御信号を生成するステップであって，前記部分は，前記第２部分を含む，ステップと，
　前記ユーザの前記焦点の領域の輪郭を前記ディスプレイ上に表示するステップと，
　前記ユーザの前記焦点の領域の前記変化を特定する前記ステップに応じて，前記輪郭を徐々に消すステップと，
　前記ユーザの前記焦点の領域の輪郭を前記ディスプレイ上に表示すべく，第３の制御信号を生成するステップと，
　前記ユーザの前記焦点の領域の前記変化を特定することに基づいて，前記輪郭を徐々に消すべく，第４の制御信号を生成するステップと
を含む方法。」
２　引用例
（引用例１）
ア　原査定の拒絶の理由に引用された，本願の出願日前に頒布された刊行物である，特開２００９−２３７２１０号公報（以下，「引用例１」という。）の記載事項は，前記「第３」「２　引用例・引用発明」に記載したとおりである。
イ　また，引用例１の段落【００３３】より，記制御回路４が，「注目コンテンツとして選択されているコンテンツの画像の表示領域以外の領域を照明する残りの前記ＬＥＤ光源１７ａの輝度を，前記標準輝度よりも低い輝度に調節し，前記注目コンテンツとしての選択が解除されたコンテンツ（前回まで前記注目コンテンツとして選択されていたコンテンツ）の画像の表示領域を照明する前記ＬＥＤ光源１７ａについては，その輝度を徐々に低下させる。」との技術的事項を読み取ることができる。
ウ　さらに，引用例１の段落【００２６】，【００２９】及び【００３０】より，次の技術的事項を読み取ることができる。
「液晶表示パネル１５に表示された複数の前記精細画コンテンツｇ１，ｇ２の画像とそれに対応する前記注目範囲（液晶表示パネル１５の映像表示面内，又はその映像表示面を含む平面内における前記精細画コンテンツの画像の表示領域に対応する範囲）ｑ１，ｑ２の例では，前記顔検出回路３２によって検出された顔の向きが，前記注目範囲内ｑ１，ｑ２に向かっている場合に，ユーザが当該注目範囲ｑ１，ｑ２に対応する前記精細画コンテンツｇ１，ｇ２の画像に注目していると見なされ（【００２６】），
  前記制御回路４は，前記人の顔の向きＲが，前記注目範囲ｑ１，ｑ２のいずれかの範囲内に向かう向きである場合には，その注目範囲に対応する前記精細画コンテンツに対応付けられた注目時間の数値をカウントアップ（加算）し，これにより，前記人の顔の向きＲが前記注目範囲内に向かう状態の継続時間が，前記注目時間として記録され，同時に，前記制御回路４は，前記人の顔の向きＲが，前記注目範囲ｑ１，ｑ２のいずれかの範囲内に向かう向きである場合には，その注目範囲に対応する前記精細画コンテンツに対応付けられた非注目時間の数値を０にリセット（クリア）し，そして，前記制御回路４は，前記注目時間が予め設定された時間（以下，設定時間ｔ１という）以上である前記精細画コンテンツが存在する場合，その精細画コンテンツを前記注目コンテンツとして選択し（【００２９】），また，前記制御回路４は，前記注目範囲ｑ１，ｑ２のうち，前記顔検出回路３２から取得した全ての人の顔の向きＲから外れた位置にあるものが存在する場合，その注目範囲に対応する前記精細画コンテンツに対応付けられた前記非注目時間の数値をカウントアップ（加算）し，これにより，前記人の顔の向きＲが前記注目範囲内に向かっていない状態の継続時間が，前記非注目時間として記録され，同時に，前記制御回路４は，全ての前記人の顔の向きＲから外れた位置にある前記注目範囲について，その注目範囲に対応する前記精細画コンテンツに対応付けられた前記注目時間の数値を０にリセット（クリア）し，そして，前記制御回路４は，前記非注目時間が予め設定された時間（以下，設定時間ｔ２という）以上である前記精細画コンテンツが存在する場合，その精細画コンテンツについて前記注目コンテンツとしての選択を解除する（【００３０】）。」
エ　よって，引用例１には，次の発明（以下，「引用発明１−１」という。）が記載されているものと認められる。
「液晶表示パネル１５に複数のコンテンツの画像が並列表示された前記マルチ画像表示状態において実行される，制御回路４による処理手順（【００２５】）であって，
　顔検出回路は，カメラ３１により得られた画像データに基づいて，液晶表示パネル１５の前方に存在する人（観者）の顔の位置及びその顔の向きを検出する画像処理を実行する回路であり（【００１９】），
　制御回路４は，前記液晶表示パネル１５により画像が並列表示されている複数の精細画コンテンツのうち，画像の表示領域が顔検出回路３２の検出結果に対して予め定められた位置関係（顔の向きが注目範囲内を向いているという関係）を満たす前記精細画コンテンツを注目コンテンツとして選択し， 
　注目コンテンツとして選択されたコンテンツの画像の表示領域を照明するＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ，さらに，前記注目コンテンツとして選択されているコンテンツの画像の表示領域以外の領域を照明する残りの前記ＬＥＤ光源１７ａの輝度を，前記標準輝度よりも低い輝度に調節し，前記注目コンテンツとしての選択が解除されたコンテンツ（前回まで前記注目コンテンツとして選択されていたコンテンツ）の画像の表示領域を照明する前記ＬＥＤ光源１７ａについては，その輝度を徐々に低下させ（【００３３】及び【００３４】），
　液晶表示パネル１５に表示された複数の前記精細画コンテンツｇ１，ｇ２の画像とそれに対応する前記注目範囲（液晶表示パネル１５の映像表示面内，又はその映像表示面を含む平面内における前記精細画コンテンツの画像の表示領域に対応する範囲）ｑ１，ｑ２の例では，前記顔検出回路３２によって検出された顔の向きが，前記注目範囲内ｑ１，ｑ２に向かっている場合に，ユーザが当該注目範囲ｑ１，ｑ２に対応する前記精細画コンテンツｇ１，ｇ２の画像に注目していると見なされ（【００２６】），
  前記制御回路４は，前記人の顔の向きＲが，前記注目範囲ｑ１，ｑ２のいずれかの範囲内に向かう向きである場合には，その注目範囲に対応する前記精細画コンテンツに対応付けられた注目時間の数値をカウントアップ（加算）し，これにより，前記人の顔の向きＲが前記注目範囲内に向かう状態の継続時間が，前記注目時間として記録され，同時に，前記制御回路４は，前記人の顔の向きＲが，前記注目範囲ｑ１，ｑ２のいずれかの範囲内に向かう向きである場合には，その注目範囲に対応する前記精細画コンテンツに対応付けられた非注目時間の数値を０にリセット（クリア）し，そして，前記制御回路４は，前記注目時間が予め設定された時間（以下，設定時間ｔ１という）以上である前記精細画コンテンツが存在する場合，その精細画コンテンツを前記注目コンテンツとして選択し（【００２９】），また，前記制御回路４は，前記注目範囲ｑ１，ｑ２のうち，前記顔検出回路３２から取得した全ての人の顔の向きＲから外れた位置にあるものが存在する場合，その注目範囲に対応する前記精細画コンテンツに対応付けられた前記非注目時間の数値をカウントアップ（加算）し，これにより，前記人の顔の向きＲが前記注目範囲内に向かっていない状態の継続時間が，前記非注目時間として記録され，同時に，前記制御回路４は，全ての前記人の顔の向きＲから外れた位置にある前記注目範囲について，その注目範囲に対応する前記精細画コンテンツに対応付けられた前記注目時間の数値を０にリセット（クリア）し，そして，前記制御回路４は，前記非注目時間が予め設定された時間（以下，設定時間ｔ２という）以上である前記精細画コンテンツが存在する場合，その精細画コンテンツについて前記注目コンテンツとしての選択を解除する（【００３０】），
　制御回路４による処理手順。」
オ　また，引用例１の段落【００３０】より，次の技術的事項を読み取ることができる。
「人の顔の向きＲが前記注目範囲内に向かっていない状態の継続時間が，前記非注目時間として記録され，前記制御回路４は，前記非注目時間が予め設定された時間（以下，設定時間ｔ２という）以上である前記精細画コンテンツが存在する場合，その精細画コンテンツについて前記注目コンテンツとしての選択を解除する（【００３０】）。」
　よって，引用例１には，次の発明が記載されているものと認められる（以下，「引用発明１−２」という。）
「液晶表示パネル１５に複数のコンテンツの画像が並列表示されたマルチ画像表示状態において実行される，制御回路４による処理手順（【００２５】）であって，
　顔検出回路は，カメラ３１により得られた画像データに基づいて，液晶表示パネル１５の前方に存在する人（観者）の顔の位置及びその顔の向きを検出する画像処理を実行する回路であり（【００１９】），
　制御回路４は，前記液晶表示パネル１５により画像が表示されている精細画コンテンツについて，画像の表示領域が顔検出回路３２の検出結果に対して予め定められた位置関係（顔の向きが注目範囲内を向いているという関係）を満たす場合に，前記精細画コンテンツを注目コンテンツとして選択し， 
　注目コンテンツとして選択されたコンテンツの画像の表示領域を照明する前記ＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ，さらに，前記注目コンテンツとして選択されているコンテンツの画像の表示領域以外の領域を照明する残りの前記ＬＥＤ光源１７ａの輝度を，前記標準輝度よりも低い輝度に調節し（【００３３】及び【００３４】），
　前記人の顔の向きＲが前記注目範囲内に向かっていない状態の継続時間が，前記非注目時間として記録され，前記制御回路４は，前記非注目時間が予め設定された時間（以下，設定時間ｔ２という）以上である前記精細画コンテンツが存在する場合，その精細画コンテンツについて前記注目コンテンツとしての選択を解除する（【００３０】），
　制御回路４による処理手順。」
（引用例２）
　原査定の拒絶の理由に引用された，本願の出願日前に頒布された刊行物である，特開２００８−１０９３１０号公報（以下，「引用例２」という。）には，図面（図９）とともに，次の事項が記載されている（下線は，当審で付与した。）。
「【００６８】
  このように，
歩行者検知枠５０の線の太さを時間と共に細くなるように表示し，歩行者検知枠５０の消去することにより，表示に動きをもたせることができる。
先ほどまでディスプレイ３に表示されていた歩行者検知枠５０の認知度を向上させることができる。
その場所に注意を払って運転することができる。また，また，このように歩行者検知枠５０を消去することにより，瞬時に歩行者検知枠５０を消去するものに比べ，高級感を演出することもできる。
（引用例３）
　本願の出願前に頒布された刊行物である，特開２０１１−１８３０９号公報（公開日：平成２３年１月２７日）（以下，「引用例３」という。）には，図面とともに，次の事項が記載されている（下線は，当審で付与した。）。
「【００６８】
  図１１は，
設定ウィンドウが徐々に消去される
【００６９】
  
領域判定部２１１３ａによってポインタ３０１が設定ウィンドウ３０３の表示領域外に移動したことが検知されてから，所定時間経過前にポインタ３０１が設定ウィンドウ３０３の表示領域内に再び移動したことが領域判定部２１１３ａによって検知されると（Ｓ３８でＹｅｓ），ステップＳ３３に戻る。その結果，設定ウィンドウ３０３が完全な状態で再表示される。
【００７０】
  
領域判定部２１１３ａによってポインタ３０１が設定ウィンドウ３０３の表示領域外に移動したことが検知されてから所定時間が経過すると（Ｓ３７でＹｅｓ），表示制御部２１１１ａは，設定ウィンドウ３０３を完全に消去させる（Ｓ３９）。
　また，図１１には，設定ウィンドウ３０３は，外周に二重線の枠を有し，該枠が，枠内の領域とともに，徐々に消去されることが示されている。
（引用例４）
　本願の出願前に頒布された刊行物である，特開２００８−２０９６１０号公報（以下，「引用例４」という。）には，次の技術事項が記載されている（下線は，当審で付与した。）。
「【請求項１】
  表示画面の裏面側にマトリックス状に並設された複数のバックライトと，
  前記表示画面を観る観視者の目の動きに基づいて，前記表示画面上にある視点の位置を検出する視点検出手段と，
  前記視点検出手段により検出された前記視点の位置に応じて，前記複数のバックライトの点灯を制御する点灯制御手段とを備えた携帯機器。
【請求項２】
  制御手段は，視点の位置を中心に所定範囲のバックライトを点灯することを特徴とする請求項１に記載の携帯機器。
【請求項３】
  
制御手段は，観視者の目の所定の動きに基づいて，バックライトの
全灯と所定範囲の点灯との切り替えをする
されている。」
（引用例５）
　本願の出願前に頒布された刊行物である，特開２０１０−１３０１５９号公報（以下，「引用例５」という。）には，次の事項が記載されている（下線は，当審で付与した。）。
「【００８０】
  （１４）第１及び第２の実施形態において，
指定領域発光処理が行われているときに，発光していない領域
が，ユーザにより接触された場合には，表示部の全体を発光するように構成してもよい。
（引用例６）
　本願の出願前に頒布された刊行物である，小峯一晃，視線情報を利用した番組選択インタフェース，マルチモーダル情報による操作意図の推定をめざして，画像ラボ，第１６巻，第４号，２００５年４月１日，日本工業出版株式会社，ｐ．３２〜３７（以下，「引用例６」という。），には，次の事項が記載されている（下線は，当審で付与した。）。
「番組音声の切替
興味のある部分に視線を向ける
視聴者の
動作を利用して，
注視している子画面にフォーカス（緑色の枠）を設定し
視線の移動とともにフォーカスが移動し
（引用例７）
　本願の出願前に頒布された刊行物である，特開平７−４３７８３号公報（以下，「引用例７」という。）には，図面とともに，次の事項が記載されている。
「【００１３】図５は，液晶パネル６に表示されるパタンの他の例を示す模式図である。図３及び図４に示した画枠線パタン１１は被写体の撮影範囲を仕切るものであったが，図５に表わした画縁面パタン１２は被写体０の撮影範囲外をマスクする様に表示される。この画縁面パタン１２は完全なブラックマスクとする事もできるが，この場合にはビューファインダの視野全体に占める撮影範囲のバランスを認識する事が難しくなる場合がある。そこで，画縁面パタン１２は中間調表示とし，中央の明るく表示された撮影範囲に比べ，コントラストを落とす様にしても良い。所謂シャドーをかける事により，ビューファインダの視野に含まれる非撮影範囲も同時に確認できる。」
（引用例８）
　本願の出願前に頒布された刊行物である，米国特許出願公開第２００６／０２５６０８３号明細書には，図面とともに，次の事項が記載されている。
「A system, method, and computer program product for automatically providing reading place-markers to a user reading a textual document upon an electronic display. A gaze-tracking element monitors a user's gaze while he or she reads the textual document and determines a look-away event. 
In response to a look-away event, the system automatically provides a reading place-marker by accentuating an area at or near where the user looked away from the text.
In this way the marker is removed when no longer needed.
 ユーザーがテキストから目をそらすイベントに応答して，システムは，自動的に，ユーザーがテキストから目をそらした領域，あるいはその近傍の領域を強調することによって，読書中の場所にマーカーを提供します。
このようにして，もう必要とされないとき，マーカーは削除されます。
「Other
 methods can be used to accentuate the portion of the paragraph
outlining the paragraph portion,
パラグラフの部分に輪郭を描く，
方法を，パラグラフの部分を強調するために使うことができます。
「In one highly desirable embodiment of the present invention 
the accentuation removal is performed using a faded removal method in which the accentuation is gradually removed over a period of time
強調の除去は，ある期間にわたって強調が次第に取り去られる，フェードされる除去方法を使って行なわれます。
３　対比・判断１
（１）引用発明１−１と対比・判断する本件補正発明について
　審判請求人は，審判請求書の【請求の理由】 「４．本願発明が特許されるべき理由」，「（３）本願発明の有利な効果」において，次のとおり主張している（下線は，当審で付与した。）。 
「本願の請求項１〜６に係る発明によれば・・・（中略）・・・そのため，
本願発明によれば，ユーザの焦点の領域が変化した場合に，焦点の領域を徐々に消すことで，ディプレイ上の焦点の変化をユーザに警告でき，古い焦点の領域における輪郭を徐々に消すことによって新たに検出された焦点の領域にユーザの視線を案内でき，さらに，新たな焦点の領域における別の輪郭をユーザに提供できる。
　そこで，本件補正発明についての，上記主張に係る構成が進歩性を有するか否か，検討する。
（２）対比
　本件補正発明と引用発明１−１とを対比する。
ア　引用発明１−１の「液晶表示パネル１５」は，本件補正発明における「ディスプレイ」に相当する。
イ　引用発明１−１における「顔検出回路」が「カメラ３１により得られた画像データに基づいて，液晶表示パネル１５の前方に存在する人（観者）の顔の位置及びその顔の向きを検出する画像処理を実行する」手順が，本件補正発明における「ユーザの体を検出する検出ステップ」に相当する。
ウ　引用発明１−１における「制御回路４」が，「顔検出回路３２の検出結果に対して予め定められた位置関係（顔の向きが注目範囲内を向いているという関係）を満たす」，「画像の表示領域」の「精細画コンテンツ」を「選択」する手順が，本件補正発明における「前記ユーザの前記体を検出することに基づいて，焦点の領域を特定するステップ」に相当する。
エ　引用発明１−１の「液晶表示パネル１５」において，「制御回路４」が，「前記注目コンテンツとして選択されているコンテンツの画像の表示領域以外の領域を照明する残りの前記ＬＥＤ光源１７ａの輝度を，前記標準輝度よりも低い輝度に調節」する手順と，本件補正発明における「前記焦点の領域の外側でディスプレイの部分を暗くすべく，第１の制御信号を生成するステップ」とは，「前記焦点の領域の外側でディスプレイの部分を暗くすべく制御するステップ」の点で共通する。
オ　引用発明１−１において，液晶表示パネル１５に複数の精細画コンテンツｇ１，ｇ２が表示され，精細画コンテンツｇ１が注目コンテンツとして選択されている場合に，人の顔の向きＲが，精細画コンテンツｇ１の注目範囲ｑ１から，精細画コンテンツｇ２の注目範囲ｑ２に移動し，予め設定された時間が経過すると，精細画コンテンツｇ１の注目コンテンツとしての選択が解除され，引用発明１−１における「注目コンテンツとしての選択が解除されたコンテンツ（前回まで前記注目コンテンツとして選択されていたコンテンツ）」となり，精細画コンテンツｇ２が今回の注目コンテンツとして選択され，引用発明１−１における「注目コンテンツとして選択されたコンテンツ」となること明らかである。
　よって，引用発明１−１において，上記の場合に，「前回まで前記注目コンテンツとして選択されていたコンテンツ」の「注目範囲」から，別のコンテンツの「注目範囲」に「人の顔の向きＲ」が移動し，「予め設定された時間が経過」したことを特定することが，本件補正発明における「前記ユーザの前記焦点の領域の変化を特定するステップ」に相当する。
カ　引用発明１−１において，今回の「注目コンテンツとして選択されたコンテンツ」の「画像の表示領域を照明する前記ＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ」るようにすること，言いかえると，（液晶表示パネル１５におけるＬＥＤ光源１７ａの輝度を標準輝度よりも低い輝度に調節して照明されていた部分に含まれていた）今回の「注目コンテンツとして選択されたコンテンツ」の「画像の表示領域」（本件補正発明でいう「ディスプレイの第２部分」）を照明する前記ＬＥＤ光源１７ａの輝度を，「鮮明な画像表示に好適な標準輝度に調節」し，「極力速やかに前記標準輝度となるよう」にする手順と，本件補正発明における「前記ディスプレイの第２部分を点灯すべく，第２の制御信号を生成するステップであって，前記部分は，前記第２部分を含む，ステップ」とは，「前記ディスプレイの第２部分を点灯すべく制御するステップであって，前記部分は，前記第２部分を含む，ステップ」の点で共通する。
　すると，本件補正発明と引用発明１−１との一致点，相違点は次のとおりである。
（一致点）
「ユーザの体を検出する検出ステップと，
　前記ユーザの前記体を検出することに基づいて，焦点の領域を特定するステップと，
　前記焦点の領域の外側でディスプレイの部分を暗くすべく制御するステップと，
　前記ユーザの前記焦点の領域の変化を特定するステップと，
　前記ディスプレイの第２部分を点灯すべく制御するステップであって，前記部分は，前記第２部分を含む，ステップと，
　を含む，
方法。」
（相違点１）
　本件補正発明では，前記焦点の領域の外側でディスプレイの部分を暗くすべく，「第１の制御信号を生成する」のに対し，引用発明１−１では，制御回路４が，前記注目コンテンツとして選択されているコンテンツの画像の表示領域以外の領域を照明する残りの前記ＬＥＤ光源１７ａの輝度を，前記標準輝度よりも低い輝度に調節し，その輝度を徐々に低下させているものの，制御回路４が該調整のための制御信号を生成することは明記されていない点。
（相違点２）
　本件補正発明では，前記ディスプレイの第２部分を点灯すべく，「第２の制御信号を生成する」のに対し，引用発明１−１では，今回の「注目コンテンツとして選択されたコンテンツ」の「画像の表示領域を照明する前記ＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ」るようにすること，言いかえると，今回の「注目コンテンツとして選択されたコンテンツ」の「画像の表示領域」（本件補正発明でいう「ディスプレイの第２部分」）を照明する前記ＬＥＤ光源１７ａの輝度を，「鮮明な画像表示に好適な標準輝度に調節」し，「極力速やかに前記標準輝度となるよう」にしているものの，制御回路４が該調整のための制御信号を生成することは明記されていない点。
（相違点３）
　本件補正発明では，「前記ユーザの前記焦点の領域の輪郭を前記ディスプレイ上に表示するステップと，前記ユーザの前記焦点の領域の前記変化を特定する前記ステップに応じて，前記輪郭を徐々に消すステップと，前記ユーザの前記焦点の領域の輪郭を前記ディスプレイ上に表示すべく，第３の制御信号を生成するステップと，前記ユーザの前記焦点の領域の前記変化を特定することに基づいて，前記輪郭を徐々に消すべく，第４の制御信号を生成するステップ」とを含むのに対し，引用発明１−１では，注目コンテンツとしての選択が解除されたコンテンツ（前回まで前記注目コンテンツとして選択されていたコンテンツ）（以下，「選択が解除されたコンテンツ」という。）の画像の表示領域を照明する前記ＬＥＤ光源１７ａについては，その輝度を「徐々に低下させ」ているものの，「選択が解除されたコンテンツ」の「輪郭」を液晶表示パネル１５上に表示する手順も，「前回まで前記注目コンテンツとして選択されていたコンテンツ」の「注目範囲」から，別のコンテンツの「注目範囲」に「人の顔の向きＲ」が移動し，予め設定された時間が経過し，「（前回まで前記注目コンテンツとして選択されていたコンテンツ）」の「注目コンテンツとしての選択が解除され」，「注目範囲」に「人の顔の向きＲ」が移動した別の「コンテンツ」が，今回の「注目コンテンツとして選択され」ること（以下，「注目コンテンツの解除と選択の手順」という。）に応じて，「選択が解除されたコンテンツ」の領域の「輪郭」を徐々に消す手順も，「選択が解除されたコンテンツ」の領域の「輪郭」を前記液晶表示パネル１５上に表示すべく，第３の制御信号を生成する手順も，「注目コンテンツの解除と選択の手順」に基づいて，前記輪郭を徐々に消すべく，第４の制御信号を生成する手順も，示されていない点。
（３）判断
（相違点１について）
　上記相違点１について検討すると，引用例１には，段落【００２０】に，制御回路４を「演算手段であるＭＰＵ４ａ，記憶手段であるＲＯＭ４ｂ（ＥＰＲＯＭ）及びＥＥＰＲＯＭ４ｃを備え」て構成することが記載されている。
　そして，ＭＰＵが，制御プログラムを実行することによって制御を行うに際し，ＭＰＵが制御のための信号を生成することは，周知の事項である。
　よって，引用発明１−１において，「制御回路４」が，前記注目コンテンツとして選択されているコンテンツの画像の表示領域以外の領域を照明する残りの前記ＬＥＤ光源１７ａの輝度を，前記標準輝度よりも低い輝度に調節し，その輝度を徐々に低下させるため，制御信号を生成するようにし，上記相違点１に係る本件補正発明の構成とすることは，当業者が容易になし得たことである。
（相違点２について）
　次に，上記相違点２について検討すると，上記相違点２についても，上記相違点１について述べたのと同様の理由から，引用発明１−１において，「制御回路４」が，今回の「注目コンテンツとして選択されたコンテンツ」の「画像の表示領域を照明する前記ＬＥＤ光源１７ａの輝度を，鮮明な画像表示に好適な標準輝度に調節し，この輝度調節は，前記ＬＥＤ光源１７ａの輝度が極力速やかに前記標準輝度となるよう行われ」るようにすること，言いかえると，今回の「注目コンテンツとして選択されたコンテンツ」の「画像の表示領域」（本件補正発明でいう「ディスプレイの第２部分」）を照明する前記ＬＥＤ光源１７ａの輝度を，「鮮明な画像表示に好適な標準輝度に調節」し，「極力速やかに前記標準輝度となるよう」にするため，制御信号を生成するようにし，上記相違点２に係る本件補正発明の構成とすることは，当業者が容易になし得たことである。
（相違点３について）
　ディスプレイに「枠」を表示し，これ徐々に消す（フェードアウト）ような画面エフェクトを付加することで，先ほどまでディスプレイに表示されていた枠の場所に注意を払うことができることは，周知の事項である。（例えば，引用例２，引用例３，引用例８参照。なお，「新たな焦点の領域における別の輪郭をユーザに提供できる。」（上記（１）参照。）点に関しては，さらに，引用例６参照。）。
　よって，液晶表示パネル１５の表示に係る引用発明１−１に，画面エフェクトについての上記周知の事項を適用し，引用発明１−１の「制御回路４」が，「選択が解除されたコンテンツ」の領域について，その「輪郭」を液晶表示パネル１５上に表示する第３の制御を行う手順と，「コンテンツの解除と選択の手順」に応じて，「選択が解除されたコンテンツ」の画像の表示領域とともに，その「輪郭」を照明する前記ＬＥＤ光源１７ａについても，その輝度を「徐々に低下させ」る第４の制御を行う手順を含むようにすることは，当業者か容易になし得たことである。
　そして，引用発明１−１における「制御回路４」が，上記第３の制御を行うため，第３の制御信号を生成し，「コンテンツの解除と選択の手順」に基づいて上記第４の制御を行うため，第４の制御信号を生成するようにすることも，上記（相違点１）及び（相違点２）で述べたのと同様に，当業者か容易になし得たことである。
　よって，引用発明１−１において，周知の事項を適用し，上記相違点３に係る本件補正発明の構成とすることは，当業者が容易になし得たことである。
４　対比・判断２
（１）引用発明１−２と対比・判断する本件補正発明について
　次に，審判請求人は，審判請求書の【請求の理由】 「４．本願発明が特許されるべき理由」，「（３）本願発明の有利な効果」において，次のとおり主張している（下線は，当審で付与した。）。 
「本願の請求項１〜６に係る発明によれば・・・（中略）・・・また，焦点の領域が変化した場合，
暗くされていた領域を明るくすることで，全体的に明るい画像をユーザに提示しつつ，ユーザが直前に見ていた領域の輪郭をディスプレイ上に表示することで，ユーザの視線を当該領域に再び導くことができる。
　そこで，本件補正発明についての，上記主張に係る構成が進歩性を有するか否か，検討する。
（２）対比
　本件補正発明と引用発明１−２とを対比する。
ア　引用発明１−２の「液晶表示パネル１５」は，本件補正発明における「ディスプレイ」に相当する。
イ　引用発明１−２における「顔検出回路」が「カメラ３１により得られた画像データに基づいて，液晶表示パネル１５の前方に存在する人（観者）の顔の位置及びその顔の向きを検出する画像処理を実行する」手順が，本件補正発明における「ユーザの体を検出する検出ステップ」に相当する。
ウ　引用発明１−２における「制御回路４」が，「顔検出回路３２の検出結果に対して予め定められた位置関係（顔の向きが前記注目範囲内を向いているという関係）を満たす」，「画像の表示領域」の「精細画コンテンツ」を「選択」する手順が，本件補正発明における「前記ユーザの前記体を検出することに基づいて，焦点の領域を特定するステップ」に相当する。
エ　引用発明１−２の「液晶表示パネル１５」において，「制御回路４」が，「前記注目コンテンツとして選択されているコンテンツの画像の表示領域以外の領域を照明する残りの前記ＬＥＤ光源１７ａの輝度を，前記標準輝度よりも低い輝度に調節」する手順と，本件補正発明における「前記焦点の領域の外側でディスプレイの部分を暗くすべく，第１の制御信号を生成するステップ」とは，「前記焦点の領域の外側でディスプレイの部分を暗くすべく制御するステップ」の点で共通する。
オ　引用発明１−２において，「前記人の顔の向きＲが前記注目範囲内に向かっていない状態の継続時間が，前記非注目時間として記録され，前記制御回路４は，前記非注目時間が予め設定された時間（以下，設定時間ｔ２という）以上」となったことを特定する手順が，本件補正発明における「前記ユーザの前記焦点の領域の変化を特定するステップ」に相当する。
　すると，本件補正発明と引用発明１−２との一致点，相違点は次のとおりである。
（一致点）
　ユーザの体を検出する検出ステップと，
　前記ユーザの前記体を検出することに基づいて，焦点の領域を特定するステップと，
　前記焦点の領域の外側でディスプレイの部分を暗くすべく制御するステップと，
　前記ユーザの前記焦点の領域の変化を特定するステップと
　を含む，
　方法。」
（相違点１）
　本件補正発明では，前記焦点の領域の外側でディスプレイの部分を暗くすべく，「第１の制御信号を生成する」のに対し，引用発明１−２では，制御回路４が，「前記注目コンテンツとして選択されているコンテンツの画像の表示領域以外の領域を照明する残りの前記ＬＥＤ光源１７ａの輝度を，前記標準輝度よりも低い輝度に調節し」ているものの，制御回路４が該調整のための制御信号を生成することは明記されていない点。
（相違点２）
　本件補正発明では，前記ユーザの前記焦点の領域の変化を特定するステップに続いて，「前記ディスプレイの第２部分を点灯すべく，第２の制御信号を生成するステップであって，前記部分は，前記第２部分を含む，ステップ」を含んでいるのに対し，引用発明１−２では，そのような手順は示されていない点。
（相違点３）
　本件補正発明では，「前記ユーザの前記焦点の領域の輪郭を前記ディスプレイ上に表示するステップと，前記ユーザの前記焦点の領域の前記変化を特定する前記ステップに応じて，前記輪郭を徐々に消すステップと，前記ユーザの前記焦点の領域の輪郭を前記ディスプレイ上に表示すべく，第３の制御信号を生成するステップと，前記ユーザの前記焦点の領域の前記変化を特定することに基づいて，前記輪郭を徐々に消すべく，第４の制御信号を生成するステップと」を含むのに対し，引用発明１−２では，「注目コンテンツとしての選択を解除」されたコンテンツの領域の「輪郭」を液晶表示パネル１５上に表示する手順も，「前記注目コンテンツとして選択されているコンテンツ」の「注目範囲」の外に「人の顔の向きＲ」が移動し，予め設定された時間が経過したことに基づいて，「注目コンテンツとしての選択を解除」されたコンテンツの領域の「輪郭」を徐々に消す手順も，前記「輪郭」を表示すべく，第３の制御信号を生成する手順も，「前記注目コンテンツとして選択されているコンテンツ」の「注目範囲」の外に「人の顔の向きＲ」が移動し，予め設定された時間が経過したことに基づいて，前記「輪郭」を徐々に消すべく，第４の制御信号を生成する手順も，示されていない点。
（３）判断
　そこで，上記相違点について検討すると，
（相違点１について）
　上記「３　対比・判断１」「（３）判断」「（相違点１について）」にて述べたのと同様の理由により，当業者が容易になし得たことである。
（相違点２について）
　一般に，表示部全体が明るくなれば，ユーザーが表示部の全体を確認しやすくなることは，引用例７の図４と図５（以下に再掲する。）の表示例を対比するまでもなく，普通に知られていることである。
　そして，引用発明１−２において，「前記人の顔の向きＲが，該注目コンテンツとしての選択されているコンテンツの注目範囲内に向かっていない状態の継続時間」である非注目時間が，「予め設定された時間（以下，設定時間ｔ２という）以上」となったことが特定されたときには，ユーザーにより，今まで「注目コンテンツとして選択されたコンテンツ」の画像の外の領域がどのようなものかを確認する行動がなされたと考えるのが自然であるから，そのような行動が特定がなされた場合に，例えは引用例４，引用例５に示されているとおり，ユーザーが液晶表示パネル１５の全体を確認しやすくなるように，制御回路４が，液晶表示パネル１５のバックライトを全灯させ，表示部の全体を発光させるよう制御することは，当業者が容易になし得たことである。
　また，そのような制御を，「制御回路４」が制御信号を生成して行うようにし，上記相違点２に係る本件補正発明の構成とするすることも，上記「３　対比・判断１」「（３）判断」「（相違点１について）」にて述べたのと同様の理由により，当業者が容易になし得たことである。
（相違点３について）
　ディスプレイに「枠」を表示し，これ徐々に消す（フェードアウト）ような画面エフェクトを付加することで，先ほどまでディスプレイに表示されていた枠の場所に注意を払うことができることは，周知の事項である。（例えば，引用例２，引用例３，引用例８参照。）。
　よって，引用発明１−２において，上記（相違点２について）で述べたとおり，ユーザーが液晶表示パネル１５の全体を確認しやすくなるように，制御回路４が，液晶表示パネル１５のバックライトを全灯させ，表示部の全体を発光させるように制御する際，「注目コンテンツとしての選択を解除」されたコンテンツの領域について，その「輪郭」を液晶表示パネル１５上に表示するよう制御する第３の手順と，「前記人の顔の向きＲが，該注目コンテンツとしての選択されているコンテンツの注目範囲内に向かっていない状態の継続時間」である非注目時間が，「予め設定された時間（以下，設定時間ｔ２という）以上」となったことが特定されたことに応じて，該表示された上記「輪郭」が徐々に消す（フェードアウト）ようにする第４の手順とを備えることは，周知の画像エフェクトの単なる適用であって，当業者が適宜なし得たことである。
　また，引用発明１−２における「制御回路４」が，上記第３の制御を行うため，第３の制御信号を生成し，上記第４の制御を行うため「前記人の顔の向きＲが，該注目コンテンツとしての選択されているコンテンツの注目範囲内に向かっていない状態の継続時間」である非注目時間が，「予め設定された時間（以下，設定時間ｔ２という）以上」となったことが特定されたことに基づいて，第４の制御信号を生成するようにすることも，上記「３　対比・判断１」「（３）判断」「（相違点１について）」にて述べたのと同様の理由により，当業者が容易になし得たことである。
ウ　そして，これらの相違点を総合的に勘案しても，本件補正発明の奏する作用効果は，引用発明１−２及び周知の事項の奏する作用効果から予測される範囲内のものにすぎず，格別顕著なものということはできない。
カ　したがって，本件補正発明は，引用発明１−２及び周知の事項に基づいて，当業者が容易に発明をすることができたものであるから，特許法第２９条第２項の規定により，特許を受けることができない。
５　まとめ
　本件補正発明は，引用発明１−１及び周知の事項に基づいて，当業者が容易に発明をすることができたものであるか，または，引用発明１−２及び周知の事項に基づいて，当業者が容易に発明をすることができたものであるから，特許法第２９条第２項の規定により，特許を受けることができない。
第５　全体のまとめ
　平成２８年５月１９日付けの補正（本件補正）は，特許法第１７条の２第３項（同法第１８４条の１２第２項参照）に規定する要件を満たしていないから，特許法第１５９条第１項において読み替えて準用する同法第５３条第１項の規定により却下すべきものである。そして，平成２７年７月２１日の手続補正（補正１）により補正された特許請求の範囲の請求項１に係る発明は，引用発明１及び周知の事項に基づいて，当業者が容易に発明をすることができたものであるから，特許法第２９条第２項の規定により，特許を受けることができないものである。
　したがって，平成２７年７月２１日の手続補正（補正１）により補正された特許請求の範囲の他の請求項について検討するまでもなく，本願は拒絶すべきものである。
　また，仮に，平成２８年５月１９日付けの補正（本件補正）が，特許法第１７条の２第３項（同法第１８４条の１２第２項参照）に規定する要件に適合するとしても，平成２８年５月１９日付けの補正（本件補正）により補正された特許請求の範囲の請求項１に係る発明は，引用発明１−１及び周知の事項に基づいて，当業者が容易に発明をすることができたものてあるか，または，引用発明１−２及び周知の事項に基づいて，当業者が容易に発明をすることができたものであるから，特許法第２９条第２項の規定により，特許を受けることができないものである。
　したがって，平成２８年５月１９日付けの補正（本件補正）により補正された特許請求の範囲の他の請求項について検討するまでもなく，本願は拒絶すべきものである。
　
　よって，結論のとおり審決する。